(57)【特許請求の範囲】
【請求項１】
屋上構築物を屋根上に固定するための屋上固定治具であり、略棒状に延び、一端側に、瓦等の屋根部材に圧入された後に屋根板に圧入される螺子形状又はドリル形状の圧入部を備え、他端側に、屋上構築物の下面等に固定される固定部を備え、該圧入部と固定部との間に、該圧入部が圧入された屋根部材の孔に螺入されて支持される雄螺子部を備え、
前記固定部は、前記雄螺子部に螺合させられる筒状部材と、該筒状部材に対して角度変更可能に固定されるとともに前記屋上構築物の下面に固定される固定板とから構成されたことを特徴とする屋上固定治具。
【請求項２】
前記雄螺子部から筒状部材を外して該雄螺子部に回転駆動装置を取り付け、該回転駆動装置を駆動させて前記圧入部を前記屋根部材に圧入し得ることを特徴とする請求項１に記載する屋上固定治具。
【請求項３】
前記固定部の前記筒状部材がバネ部を備えた請求項１又は請求項２に記載する屋上固定治具。
【請求項４】
屋上構築物を屋上固定治具を用いて屋根上に固定する屋上構築物の固定方法であり、
前記屋上固定治具は、略棒状に延び、一端側に、瓦等の屋根部材に圧入された後に屋根板に圧入される螺子形状又はドリル形状の圧入部を備え、他端側に、屋上構築物の下面等に固定される固定部を備え、該圧入部と固定部との間に、該圧入部が圧入された屋根部材の孔に螺入されて支持される雄螺子部を備え、該固定部は、該雄螺子部に螺合させられる筒状部材と、該筒状部材に対して角度変更可能に固定されるとともに該屋上構築物の下面に固定される固定板とから構成され、
前記雄螺子部から前記筒状部材を外し、
前記筒状部材を外した前記雄螺子部に前記回転駆動装置を取り付け、
前記雄螺子部に取り付けた前記回転駆動装置を駆動させることにより、前記圧入部を、前記屋根部材に圧入した後、前記屋根板に圧入する、
ことを特徴とする屋上構築物の固定方法。
【請求項５】
前記屋根部材が瓦であり、前記棒状の屋上固定治具の一端を該瓦の頂上付近に圧入して固定することを特徴とする請求項４に記載する屋上構築物の固定方法。
【発明の詳細な説明】
【０００１】
【発明の属する技術分野】
本発明は、太陽電池盤等の屋上構築物を屋根上に固定するための屋上固定治具に関する。
【０００２】
【従来の技術】
従来から、屋上には太陽電池盤や看板等の屋上構築物が設置されている場合がある。これら屋上構築物は、風や雨に耐え得るように屋根上に固定しておく必要がある。屋上構築物の屋根上への固定方法としては、屋上構築物を屋根上に置きつつ針金で軒へ留める方法等がある。例えば太陽電池盤をこのような固定方法によって屋根上に固定しておくことにより、家庭用電化製品に電気を供給することができる。
【０００３】
【発明が解決しようとする課題】
しかし、このような固定方法によれば、単に屋上構築物を屋根上に置いて針金等で固定するため、安定した状態に固定することができなかった。このため、固定している屋上構築物の位置がずれて、屋上構築物が機能していようになることがあった。例えば、屋上構築物が太陽電池盤である場合には、この太陽電池盤の位置がずれて太陽の照射する角度が変わり発電量が減少してしまう恐れがあった。また、安定した状態に固定することができないため、台風の時には固定状態を確認して針金等で固定し直す必要が生じる場合があった。
【０００４】
さらに、このような固定方法によれば、屋上構築物を屋根上に置いて保持しつつ、針金等で固定しなければならないため、最低二人の作業者が必要となった。このため、固定作業が大がかりなものとなり、人件費も嵩む結果となっていた。また、針金を軒等に巻き付ける作業は、屋根から落下する恐れを伴い、危険な作業であった。
【０００５】
そこで、本発明者は、このような課題を解決するべく鋭意研究した結果、本発明に到達した。
【０００６】
【課題を解決するための手段】
本発明に係る屋上固定治具の要旨とするところは、屋上構築物を屋根上に固定するための屋上固定治具であり、略棒状に延び、一端側に、瓦等の屋根部材に圧入された後に屋根板に圧入される螺子形状又はドリル形状の圧入部を備え、他端側に、屋上構築物の下面等に固定される固定部を備え、該圧入部と固定部との間に、該圧入部が圧入された屋根部材の孔に螺入されて支持される雄螺子部を備え、前記固定部は、前記雄螺子部に螺合させられる筒状部材と、該筒状部材に対して角度変更可能に固定されるとともに前記屋上構築物の下面に固定される固定板とから構成されたことにある。また、前記雄螺子部から筒状部材を外して該雄螺子部に回転駆動装置を取り付け、該回転駆動装置を駆動させて前記圧入部を前記屋根部材に圧入し得ることにある。また、前記固定部の前記筒状部材がバネ部を備えたことにある。
【０００７】
このような本発明の屋上固定治具を用いて屋上構築物を屋根上に固定する作業は、まず、孔開け装置等によって屋根部材に孔が開けられる。次に、屋上固定治具の圧入部が瓦等の屋根部材の孔等に押し当てられて、屋根部材の孔等に圧入されていく。ここで、屋根部材の割れを防止するためには、屋根部材に孔を予め開けておき、その孔に圧入することが好ましいが、孔又は穴を開けつつ圧入するようにしても良い。圧入部が屋根部材に圧入されることにより、屋上固定治具は屋根部材に固定される。このようにして、１個の位置における屋上固定治具の屋根部材への固定が行われ、他の所定位置においても同様にして屋上固定治具の屋根部材への固定が行われる。このようにして所定の場所において、屋上固定治具の屋根部材への固定が行われると、固定部に太陽電池盤等の屋上構築物が取り付けられ、ボルト及びナット等によって固定される。
【０００８】
また、本発明に係る屋上固定治具の要旨とするところは、回転駆動装置等の圧入装置に取り付け、該圧入装置を駆動させて前記圧入部を前記屋根部材に圧入し得ることにある。
【０００９】
このような本発明の屋上固定治具は、圧入部を屋根部材に圧入する時には、回転駆動装置等の圧入装置に取り付けられ、圧入装置が駆動させられることにより、圧入部が屋根部材の孔等に圧入されていく。例えば、圧入部が螺子形状であり、圧入装置が回転駆動装置であれば、回転駆動装置を駆動させて圧入部を回転させることにより、圧入部が屋根部材に圧入されていく。
【００１０】
また、本発明に係る屋上固定治具の要旨とするところは、前記圧入部がドリル形状又は螺子形状であることにある。
【００１１】
このような本発明の屋上固定治具は、圧入装置である回転駆動装置を駆動させることにより、圧入部が回転させられ、圧入部が屋根部材に圧入されていく。圧入が終了すると、回転駆動装置が停止されるが、この時、圧入部が屋根部材にねじこまれているような状態であるため、圧入部は屋根部材にそのまま固定されることとなる。
【００１２】
次に、本発明に係る屋上構築物の固定方法の要旨とするところは、屋上構築物を屋根上に固定する屋上構築物の固定方法であり、棒状の屋上固定治具の一端を瓦等の屋根部材に圧入して固定し、他の一端を屋上構築物の下面等に固定することにある。特には、屋上構築物を屋上固定治具を用いて屋根上に固定する屋上構築物の固定方法であり、前記屋上固定治具は、略棒状に延び、一端側に、瓦等の屋根部材に圧入された後に屋根板に圧入される螺子形状又はドリル形状の圧入部を備え、他端側に、屋上構築物の下面等に固定される固定部を備え、該圧入部と固定部との間に、該圧入部が圧入された屋根部材の孔に螺入されて支持される雄螺子部を備え、該固定部は、該雄螺子部に螺合させられる筒状部材と、該筒状部材に対して角度変更可能に固定されるとともに該屋上構築物の下面に固定される固定板とから構成され、前記雄螺子部から前記筒状部材を外し、前記筒状部材を外した前記雄螺子部に前記回転駆動装置を取り付け、前記雄螺子部に取り付けた前記回転駆動装置を駆動させることにより、前記圧入部を、前記屋根部材に圧入した後、前記屋根板に圧入する、ことにある。
【００１３】
このような本発明の屋上構築物の固定方法は、棒状の屋上固定治具の一端を屋根部材の孔等に圧入して固定する一方で、他の一端を屋上構築物の下面等に固定することにより、屋上構築物を屋根部材に固定する方法である。
【００１４】
また、本発明に係る屋上構築物の固定方法の要旨とするところは、前記屋根部材が瓦であり、前記棒状の屋上固定治具の一端を前記瓦の頂上付近に圧入して固定することにある。
【００１５】
このような本発明の屋上構築物の固定方法は、棒状の屋上固定治具の一端を起伏のある瓦の頂上付近に圧入して固定する方法である。すなわち、瓦の低い部分ではなく、瓦の頂上付近に棒状の屋上固定治具を圧入して固定する方法である。瓦の頂上付近に棒状の屋上固定治具を圧入するため、雨が瓦の低い部分を流れても、圧入した孔から雨が屋内に漏れるおそれがなくなる。
【００１６】
【発明の実施の形態】
次に、本発明に係る屋上固定治具及び屋上構築物の固定方法の実施の形態について、図面に基づいて詳しく説明する。
【００１７】
図１において、符号１０は本発明に係る屋上固定治具である。この屋上固定治具１０は、太陽電池盤（屋上構築物）１１の支持具（屋上構築物）１２を屋根上に固定するための屋上固定治具であり、略棒状に延び、その一端側に、瓦（屋根部材）１４に孔１６を開けつつ圧入される圧入部１８を備え、他端側に、支持具１２の下面に固定される固定部２０を備えて構成されている。
【００１８】
ここで、圧入部１８は螺子形状に構成され、回転駆動装置（圧入装置）２２によって回転させられることにより、瓦１４の孔１６に圧入されていくように構成されている。なお、この螺子形状は、瓦１４に圧入していくことにより破損しない程度に、通常の螺子形状よりも粗く構成されている。また、回転駆動装置２２は、モーターを使用したものであってもエンジン等を使用したものであっても別に限定はされない。
【００１９】
また、固定部２０は、雄螺子部２４と、この雄螺子部２４に螺合させられる筒状部材２６と、この筒状部材２６に対して垂直であるとともに支持具１２の下面に固定される固定板２８とから構成されている。なお、筒状部材２６と固定板２８とは、通常、分離されて使用されることはない。また、筒状部材２６と固定板２８との角度は屋根部材と屋上構築物との角度等に応じて適宜変えられることはあり得る。ここで、雄螺子部２４と筒状部材２６とはナット３０が締結されることによって固定されるため、ナット３０を緩めることにより、雄螺子部２４から筒状部材２６を外して雄螺子部２４に回転駆動装置２２を取り付けることができるようにされている。また、ナット３０を緩めることにより、屋上固定治具１０全体の長さを調節することが可能である。また、固定板２８には複数個の孔３２が備えられており、この孔３２にボルト３２が挿入されてナット３４が締結されることにより、固定板２８が支持具１２の下面に固定される。なお、ボルト３２及びナット３４の個数は特に限定されるものではない。
【００２０】
このような屋上固定治具１０を用いて太陽電池盤１１の支持具１２を屋根上に固定する作業は、まず、孔開け装置によって瓦１４及び屋根板３６に孔１６が開けられる。ここで、孔１６の径はドリル１８が圧入されるように、ドリル１８の径と同程度又は少し小さいことが望ましい。次に、屋上固定治具１０の雄螺子部２４から筒状部材２６を外した状態で、図２に示すように、回転駆動装置２２が取り付けられる。回転駆動装置２２に取り付けられた屋上固定治具１０は、圧入部１８が瓦１４の孔１６に押し当てられて、回転駆動装置２２が駆動させられる。回転駆動装置２２が駆動させられることにより、圧入部１８が回転させられ、瓦１４に圧入されていく。ここで、瓦１４及び屋根板３６の割れを防止するためには、瓦１４及び屋根板３６に孔１６及び１７を予め開けておき、その孔１６及び１７に圧入することが好ましいが、瓦１４及び屋根板３６に孔又は穴を開けつつ圧入するようにしても良く、また、貫通しない穴を開けておいてその穴を目印として孔又は穴を開けつつ圧入するようにしても良い。また、回転駆動装置２２の代替としてハンドルを取り付け、手動でハンドルを回して瓦１４の孔１６に圧入しても良い。
【００２１】
瓦１４に圧入された圧入部１８はさらに圧入されていくことにより、瓦１４裏の屋根板３６の孔１７にも螺入されるようにして圧入されていく。圧入部１８が適度な深さだけ圧入された状態で、回転駆動装置２２が停止されて圧入部１８の回転が止められ、回転駆動装置２２が雄螺子部２４から外される。圧入部１８の回転が止められた時、圧入部１８は屋根板３６に螺入されて圧入されているとともに雄螺子部２４が瓦１４の孔１６に支持されている状態であるため、屋上固定治具１０は瓦１４に固定される。このようにして、１個の位置における屋上固定治具１０の瓦１４への固定が行われ、他の所定位置においても同様にして屋上固定治具１０の瓦１４への固定が行われる。
【００２２】
このようにして所定の一の場所又は複数の場所において、屋上固定治具１０の瓦１４への固定が行われると、雄螺子部２４に固定板２８の固定された筒状部材２６が螺合させられ、ナット３０によって締結される。このようにして筒状部材２６及び固定板２８が雄螺子部２４に取り付けられた状態で、固定板２８に支持具１２が載せられ、ボルト３２とナット３４によって固定させられる。固定板２８と支持具１２とが固定させられると、支持具１２と垂直方向の支持具１３が掛け渡された後、太陽電池盤１１が取り付けられる。
【００２３】
なお、支持具１２及び１３の瓦１４への固定は、屋上固定治具１０のみによって行われる必要は必ずしもない。例えば、図３に示すように、一の位置３８ａにおいては屋上固定治具１０によって支持具１２を固定し、他の位置３８ｂにおいては図４に示す載置治具４０によって支持具１３を固定しても良い。
【００２４】
この載置治具４０は、瓦１４に載せられる弾性部材４２と、この弾性部材４２に固定されるとともに支持具１３にナット４４によって固定される螺子棒４６とから構成されている。なお、弾性部材４２の材質は、ゴム、樹脂、発泡樹脂等、特に限定されるものではない。また、この載置治具４０を使用する位置は、安定して立設することを考慮すると、位置３８ｂのように、起伏のある瓦１４ならばその最低部であることが望ましい。
【００２５】
このような本発明の屋上固定治具１０及び屋上構築物の固定方法によれば、屋上固定治具１０の圧入部１８を瓦１４及び屋根板３６に圧入することにより、屋上固定治具１０を屋根上に固定し、この屋上固定治具１０に太陽電池盤１１の支持具１２を固定することができる。このため、太陽電池盤１１を屋根上に安定して固定しておくことができ、太陽電池盤１１の位置がずれてしまうのを防止できる。
【００２６】
また、本発明の屋上固定治具１０及び屋上構築物の固定方法によれば、回転駆動装置２２を取り付け、この回転駆動装置２２を駆動させることによって瓦１４の孔１６及び屋根板３６の孔１７に圧入していくことができる。このため、瓦１４等に固定させる作業を容易に行うことができる。また、針金を軒等に巻き付けて固定する必要がなく、安全上も好ましい。
【００２７】
以上、本発明の実施の一形態について説明したが、本発明に係る屋上固定治具及び屋上構築物の固定方法はその他の形態でも実施し得るものである。
【００２８】
例えば、本発明の屋上固定治具１０は、瓦１４上に固定されることに限定されず、図５に示すように、平板状の屋根部材５２上に固定されて使用されても良い。なお、この場合には、屋根部材５２上に補強板５４を重ね合わせ、この補強板５４を介して屋上固定治具１０を屋根部材５２に固定することが、強度を向上させるために望ましい。
【００２９】
次に、本発明の屋上固定治具１０による屋上構築物の固定方法は、図６に示すような固定方法であっても良い。この固定方法は、２個の太陽電池盤４８ａ及び４８ｂを支持して固定する方法であり、太陽電池盤４８ａを支持具５０ａ及び５０ｂの間に嵌め込み、太陽電池盤４８ｂを支持具５０ｃ及び５０ｄの間に嵌め込んだ状態で、屋上固定治具１０ａによって支持具５０ａを固定し、屋上固定治具１０ｂによって支持具５０ｂ及び５０ｃを固定し、屋上固定治具１０ｃによって支持具５０ｄを固定することにより、２個の太陽電池盤４８ａ及び４８ｂを平板状の屋根部材５２上に支持して固定する方法である。なお、各屋上固定治具１０は、補強板５４を介して屋根部材５２に固定されている。ここで、この補強部材５４の材質は、金属、樹脂、木材等、特に限定はされない。
【００３０】
また、図７に示すような屋上構築物の固定方法であっても良い。この固定方法は、屋根部材５２上に固定した屋上固定治具１０に支持具５６を固定し、この支持具５６と垂直な方向に支持具５８を掛け渡して固定した後、支持具５８の上に太陽電池盤６０を固定する方法である。
【００３１】
次に、筒状部材２６の代替として、図８に示すような、先端に挟持部６０を備えた筒状部材６２であっても良い。この筒状部材６２は、この挟持部６０に固定板２８の突起部６４を差し込んでボルト６５及びナット６６によって固定できるように構成されている。
【００３２】
次に、本発明の屋上固定治具１０は、太陽電池盤１１等の屋上構築物等の下部を直接固定するために使用することには限定されず、ワイヤー等を用いて屋上構築物を補助的に固定するために使用しても良い。
【００３３】
例えば、図９に示すように、リング６８の固定された摺動部材７０をナット７２によって雄螺子部２４に締結しておき、リング６８にワイヤー７４を取り付け、このワイヤー７４によって屋上構築物を固定するようにしても良い。また、図１０に示すように、リング状部材７６が一体となった雌螺子部材７８を雄螺子部２４に締結し、リング状部材７６にワイヤー７４を取り付け、このワイヤー７４によって屋上構築物を固定するようにしても良い。
【００３４】
次に、本発明の屋上固定治具１０を使用するにおいて、固定板２８の代替として、図１１に示すような固定板８０を用いても良い。この固定板８０は、Ｌ字形状に構成されているため、太陽電池板１１の角部等を沿わせるようにして合わせて固定するのに好ましい。なお、この固定板８０の太陽電池板１１の下面や支持具１２等への固定は、孔８１にボルトを通してナットを締結することにより行われる。
【００３５】
次に、本発明の屋上固定治具は、図１２に示す屋上固定治具１０８であっても良い。この屋上固定治具１０８は、固定部１１０の筒状部材１１２にバネ部１１４が備えられて構成されている。このようなバネ部１１４を備えておくことにより、固定板２８上に固定した屋上構築物が風等から力を受けた場合でも、その力を吸収することができ、圧入部１１６が振動によって瓦１４等から抜けてしまうのを防止できる。
【００３６】
また、図１３に示すように、固定板１１８にバネ部１２０を備えておいても良い。固定板１１８にバネ部１２０を備えておいても、圧入部１１６が振動によって瓦１４等から抜けてしまうのを防止できる。
【００３７】
以上、本発明に係る屋上固定治具及び屋上構築物の固定方法の実施例について、図面に基づいて種々説明したが、本発明に係る屋上固定治具及び屋上構築物の固定方法は図示した屋上固定治具及び屋上構築物の固定方法に限定されるものではない。
【００３８】
例えば、本発明の屋上固定治具及び屋上構築物の固定方法を使用する屋上構築物は、上述の太陽電池盤に限定されず、看板やアンテナ等であっても良い。また、屋上固定治具を使用する数量も特に限定されず、１個であっても２個以上であっても良い。また、本発明の屋上固定治具及び屋上構築物の固定方法を使用する屋根部材は上述のような瓦には限定されず、プレハブハウスの屋根部のパネルや、モルタル建築物の屋根部のモルタル部材であっても良い。
【００３９】
また、圧入部の形状及び寸法は特に限定されることはなく、屋根部材に孔等を開けつつ圧入することができれば良い。例えば、ドリル形状又は螺子形状の圧入部を有していない屋上固定治具を回転させて圧入しても良い。また、圧入装置は、上述のものに限定されず、減速歯車を使用して手動式に圧入部を回転させるものであっても良い。
【００４０】
その他、本発明はその趣旨を逸脱しない範囲で当業者の知識に基づき種々なる改良、修正、変形を加えた形態で実施できるものである。
【００４１】
【発明の効果】
本発明に係る屋上固定治具によれば、圧入部を屋根部材に圧入することにより、屋上固定治具を屋根上に固定し、この屋上固定治具に屋上構築物を固定することができる。このため、屋上構築物を屋根上に安定して固定しておくことができ、屋上構築物の位置がずれてしまうのを防止できる。また、圧入部を屋根部材に圧入して固定することができるため、屋上構築物に固定させる作業を容易に行うことができる。また、針金を軒等に巻き付けて固定する必要がなく、安全上も好ましい。
【００４２】
また、回転駆動装置等の圧入装置に取り付け、圧入装置を駆動させて圧入部を屋根部材に圧入し得ることを特徴とする本発明の屋上固定治具によれば、圧入部を屋根部材に圧入する時には、回転駆動装置等の圧入装置に取り付けられ、圧入装置が駆動させられることにより、圧入部を屋根部材の孔等に圧入していくことができる。このため、圧入部を屋根部材に圧入して固定する作業を自動的かつ容易に行うことができる。
【００４３】
また、圧入部が螺子形状又はドリル形状であることを特徴とする本発明の屋上固定治具によれば、圧入装置である回転駆動装置を駆動させることにより、圧入部を回転して屋根部材の孔等に圧入していくことができる。このため、比較的容易な回転駆動手段によって圧入部を屋根部材に圧入していくことができる。また、圧入部を屋根部材にねじこむような状態で圧入することができるため、圧入部を強固に屋根部材に固定することができる。
【００４４】
次に、本発明の屋上構築物の固定方法によれば、棒状の屋上固定治具の一端を屋根部材の孔等に圧入して固定する一方で、他の一端を屋上構築物の下面等に固定することにより、屋上構築物を屋根部材に固定することができる。このため、屋上構築物を屋根上に安定して固定しておくことができ、屋上構築物の位置がずれてしまうのを防止できる。また、圧入部を屋根部材に圧入して固定することができるため、屋上構築物に固定させる作業を容易に行うことができる。また、針金を軒等に巻き付けて固定する必要がなく、安全上も好ましい。
【００４５】
また、棒状の屋上固定治具の一端を前記瓦の頂上付近の孔等に圧入して固定することを特徴とする本発明の屋上構築物の固定方法によれば、瓦の低い部分ではなく、瓦の頂上付近に棒状の屋上固定治具を圧入して固定するため、雨が瓦の低い部分を流れても、圧入した孔から雨が屋内に漏れるおそれがなくなる。このため、屋根上の工事が原因となる雨漏れをなくして、屋根上の工事が家屋等の建築物に与える影響を少なくすることができる。
【図面の簡単な説明】
【図１】  本発明に係る屋上固定治具を示す正面断面図である。
【図２】  図１に示す屋上固定治具の使用状態を示す正面断面図である。
【図３】  図１に示す屋上固定治具の使用状態を示す平面図である。
【図４】  図１に示す屋上固定治具の使用のために用いる載置治具を示す平面図である。
【図５】  図１に示す屋上固定治具の他の使用状態を示す正面断面図である。
【図６】  図１に示す屋上固定治具の更に他の使用状態を示す正面図である。
【図７】  図１に示す屋上固定治具の更に他の使用状態を示す正面図である。
【図８】  図１に示す屋上固定治具の更に他の使用状態を示す一部正面図である。
【図９】  図１に示す屋上固定治具の更に他の使用状態を示す正面図である。
【図１０】  図１に示す屋上固定治具の更に他の使用状態を示す一部正面図である。
【図１１】  本発明に係る屋上固定治具の固定板の他の実施の形態を示す図であり、同図（ａ）は平面図、同図（ｂ）は正面図である。
【図１２】  本発明に係る屋上固定治具の更に他の実施の形態を示す正面図である。
【図１３】  図１６に示す屋上固定治具の他の実施の形態を示す正面図である。
【符号の説明】
１０，１０８；屋上固定治具
１１，４８，６０；太陽電池盤（屋上構築物）
１２，１３，５０，５６，５８；支持具
１４；瓦（屋根部材）
１６；孔
１８，８４，９６，１０６，１１６；圧入部
２０；固定部
２２；回転駆動装置（圧入装置）
２８，８０；固定板
４０；載置治具
３６，５２，８６，１０４；屋根部材
８８，１０２；押圧装置（圧入装置）
９４；振動発生装置（圧入装置）
【図１】
0003656968.tif 000002
【図２】
0003656968.tif 000003
【図３】
0003656968.tif 000004
【図４】
0003656968.tif 000005
【図５】
0003656968.tif 000006
【図６】
0003656968.tif 000007
【図７】
0003656968.tif 000008
【図８】
0003656968.tif 000009
【図９】
0003656968.tif 000010
【図１０】
0003656968.tif 000011
【図１１】
0003656968.tif 000012
【図１２】
0003656968.tif 000013
【図１３】
0003656968.tif 000014